(57)【要約】【課題】様々な被収納物を収納できる容器であって、錆に強い容器や、盗難等の被害から被収納物を守ることができる容器がない。【解決手段】合成樹脂製の中空部材１の中空部に所定形状の中空パイプ３を設け、この中空パイプ３と前記中空部材１との間にコンクリート１０を充填し、この中空部材１の端部を閉塞する合成樹脂製の蓋部材１１，１４を設けて、簡単な構成で重量増加させて盗難等を難しくし、外面が樹脂製で錆び難い収納容器８を形成する。【選択図】　　　　図１
2004036265.tif 000002
【特許請求の範囲】
【請求項１】
所定高さの合成樹脂製中空部材の中空部に所定高さの中空パイプを設け、該中空パイプと前記中空部材との間にコンクリートを充填し、該中空部材の端部を閉塞する合成樹脂製の蓋部材を設けた収納容器。
【請求項２】
前記中空パイプと前記中空部材との間の両端部を所定の厚みのコンクリートで閉鎖し、該コンクリートの間に非硬化性流体を充填したことを特徴とする請求項１記載の収納容器。
【請求項３】
前記非硬化性流体を、油性塗料と水性塗料とラッカー系塗料とを含む塗料で構成したことを特徴とする請求項２記載の収納容器。
【請求項４】
前記コンクリートと蓋部材との接触面に防水材を設けたことを特徴とする請求項１〜３のいずれか１項に記載の収納容器。
【請求項５】
前記蓋部材を前記中空部材の端部から所定長さを覆う大きさで形成し、該蓋部材に中空部材からの分離を防止する鍵装置を設けたことを特徴とする請求項１〜４のいずれか１項に記載の収納容器。
【発明の詳細な説明】
【０００１】
【発明の属する技術分野】
本願発明は、外面が合成樹脂製で、内部の収納部との間にコンクリートを充填した収納容器に関するものである。
【０００２】
【従来の技術と発明が解決しようとする課題】
従来より、様々な物を収納する容器があり、例えば、書類を長期保存するような容器や、現金や預金通帳等を保存する容器のように貴重品等を保存する収納容器がある。
【０００３】
収納容器の１つである金庫や書類保管庫の場合、一般的に外面が金属で形成された矩形の容器であり、上部に開閉可能な蓋部材が設けられている。このような金庫や書類保管庫の場合、蓋部材を開閉して内部の被収納物（現金や重要書類）を出し入れすることとなる。
【０００４】
しかしながら、一般的な金庫の場合、外観から金庫であることが容易に判断できるため、泥棒に侵入された場合には盗難に遭いやすいという問題がある。また、書類保管庫の場合も外観が重厚なため、重要な書類を保管していることが容易に判断できてしまう。
【０００５】
一方、このような収納容器としてタイムカプセルがある。このタイムカプセルのように一定の年月が経過するまで地中に埋めておくような収納容器の場合には、埋蔵中に外部から水が浸入して被収納物を汚損しないように保護する必要がある。
【０００６】
しかし、このような収納容器は、簡単な構造では経年変化による強度低下を生じて水が浸入するおそれがあり、頑丈な構造であっても鋼板等であれば錆が発生して強度低下や水の浸入を招いてしまう。
【０００７】
そのため、このように様々な被収納物を収納できる容器であって、錆に強い容器や、盗難等の被害から被収納物を守ることができる容器が要望されている。
【０００８】
【課題を解決するための手段】
そこで、前記課題を解決するために、本願発明は、所定高さの合成樹脂製中空部材の中空部に所定高さの中空パイプを設け、該中空パイプと前記中空部材との間にコンクリートを充填し、該中空部材の端部を閉塞する合成樹脂製の蓋部材を設けている。このように合成樹脂製の中空部材と中空パイプとで２重の容器を形成し、これらの間にコンクリートを充填することにより簡単な構成で重量増加が可能であるとともに、合成樹脂製の蓋部材で端部を閉鎖することによって外面が樹脂製で錆び難い収納容器を構成することができる。
【０００９】
前記中空パイプと前記中空部材との間の両端部を所定の厚みのコンクリートで閉鎖し、該コンクリートの間に非硬化性流体を充填すれば、中空部材の中央部が損傷すると内部の非硬化性流体が流出して損傷状態を目視で確認することができる。しかも、充填している非硬化性流体が損傷時には飛散するように噴出して損傷させた人に付着するので、損傷させた人を捜索するための手掛かりとすることができる。
【００１０】
また、前記非硬化性流体を、油性塗料と水性塗料とラッカー系塗料とを含む塗料で構成すれば、適度な液体状態を長期間保つことができると共に、飛散して付着した塗料を容易に洗い落とすことができないので、悪意を持って損傷させた人の捜索を容易に行うことができる。
【００１１】
さらに、前記コンクリートと蓋部材との接触面に防水材を設ければ、開閉可能な合成樹脂製の蓋部材側から水が浸入するのを効果的に防止し、内部の被収納物を水から保護することができる。
【００１２】
また、前記蓋部材を前記中空部材の端部から所定長さを覆う大きさで形成し、該蓋部材に中空部材からの分離を防止する鍵装置を設ければ、蓋部材を開閉させるためには鍵装置を外して蓋部材を分離させなければならないため、重要な被収納物を収納する容器として好ましい形態にできる。
【００１３】
【発明の実施の形態】
以下、本願発明の一実施形態を図面に基づいて説明する。図１は本願発明の第１実施形態に係る収納容器を示す縦断面図であり、図２は図１に示すＩＩ−ＩＩ矢視図である。この第１実施形態では円柱状の収納容器を例に説明する。
【００１４】
図示するように、所定径の合成樹脂製の中空部材１の中空部２に、所定形状の中空パイプ３が設けられて２重の容器が形成されている。中空部材１は所定高さの円筒形で形成され、中空パイプ３もほぼ同じ所定高さの角筒形で形成されている。そして、この中空パイプ３の角形中空部４に、角形の被収納物容器５が２個収納されている。この角形中空部４が被収納物の収納部となる。この例では上部に把手６があり、側部に開閉扉７がある容器５が縦向きに設けられている。なお、これら中空部材１と中空パイプ３とは、円筒形や角柱形に限定されるものではなく、被収納物に応じた断面形状を適宜決定すればよい。
【００１５】
中空部材１は、例えば、塩化ビニル樹脂製の筒材が用いられる。この中空部材１としては外面が合成樹脂製であればよい。また、材質は他の合成樹脂材料であってもよい。材質としては、使用目的や使用期間等を考慮して適宜選択すればよい。この実施形態では円形断面の中空部材１が使用されている。
【００１６】
前記中空パイプ３は、鋼製の金属パイプが用いられている。この中空パイプ３としては、鉄やステンレス等の金属であっても合成樹脂であってもよい。この中空パイプ３に金属を採用すれば、収納容器８の全体としての強度を上げることができると共に、収納容器８の重量増加を図ることができる。また、断面形状も円形であっても角形であってもよい。この中空パイプ３は、内側の中空部４が被収納物を収納する空間となるため、被収納物に応じて材質や形状を適宜選択すればよい。
【００１７】
そして、このように配置された中空部材１と中空パイプ３との間に形成される空間９に、コンクリート１０が充填されている。この実施形態では、中空部材１の上下端部に所定厚み分のコンクリート１０が充填されており、これらのコンクリート１０の間に真空の空間９が形成できるようにしている。この空間９には、後述するように非硬化性流体が充填される。この所定厚み分のコンクリート１０によって、中空部材１と中空パイプ３との間の両端部が閉鎖されている。このコンクリート１０の厚みとしては、コンクリート１０の間の空間９を真空状態にしても耐え得る強度を有し、収納容器８となった状態で所定の自重を確保できるような厚みであればよい。例えば、約５ｃｍ〜１０ｃｍ程度の厚みで形成すれば、必要な強度と自重を確保することができる。この自重は、コンクリート１０の厚みで調整することができ、収納容器８の使用目的等に応じて決定すればよい。
【００１８】
また、上記中空部材１の下端は、合成樹脂製の蓋部材１１によって閉塞されている。この蓋部材１１は、中空部材１の内側に設けられたコンクリート１０の端面に防水材１２を設け、蓋部材１１を中空部材１の下端に固定（例えば、接着）することによって、防水材１２でコンクリート１０と蓋部材１１の内面との間の接触面を確実にシールするようにしている。この防水材１２としては、ウレタン塗膜防水材やコンクリート浸透性防水剤、防水塗装等を用いることができる。
【００１９】
この蓋部材１１と中空部材１の外周面との間も、防水材１３（シリコン系やウレタン系のコーキング剤等）で確実に密閉されている。これにより、中空部材１と下側の蓋部材１１の内面は水密状態で密着し、中空パイプ３の下部内側を確実な水密構造とすることができる。
【００２０】
一方、中空部材１の上端は、合成樹脂製の蓋部材１４によって開閉可能なように構成されている。この蓋部材１４は、図示するように、中空部材１の上側を所定長さまで覆うように断面コ字状に形成されている。また、この蓋部材１４で塞ぐ中空部材１と中空パイプ３との間のコンクリート１０の上面にも防水材１２が設けられており、蓋部材１４を中空部材１の上側に被せることにより中空パイプ３と外部との間がシールされるように構成されている。
【００２１】
さらに、この実施形態では、このコンクリート１０の間の空間９に非硬化性流体１５が充填されている。この非硬化性流体１５は、上下のコンクリート１０の間の空間９の全体に充填されているので、この空間９は非硬化性流体１５で満たされて真空状態となっている。
【００２２】
この実施形態では、非硬化性流体１５として塗料（以下、「塗料」も符号１５で示す。）が採用されている。この塗料１５としては、例えば、水性塗料、油性塗料、ラッカー系塗料を混合したものが用いられる。このような塗料を真空状態で充填して封入することにより、長期間硬化することがなく、非硬化性流体としての機能を保つことができる。こられの塗料１５を混合する割合としては、例えば、水性塗料４０％、油性塗料３０％、ラッカー系塗料３０％の比率で混合すれば、真空状態で約７年以上の間、非硬化性を保つことができるので好ましい。しかも、これらの塗料の組み合わせにより、付着した場合でも容易に洗い落とすことができないようにできる。
【００２３】
なお、この実施形態では、上下端部のみをコンクリート１０とし、これらのコンクリート１０の間の空間９に塗料１５を充填しているが、この空間９に塗料１１が約８０％程度で混合されたコンクリートを充填してもよい。
【００２４】
このように、空間９に塗料１５を充填したり混合させたコンクリートを充填させることにより、外部から中空部材１の中間部を損傷させると、その傷部から内部の塗料１５が噴出するので、例えば、泥棒等の悪意の第３者が中空部材１を傷付けた場合に、その泥棒等に塗料１５が付着して犯人逮捕の手掛かりとすることができる。
【００２５】
さらに、このように構成された収納容器８は、その外面を様々な塗料で塗装することによって使用条件に応じた収納容器８とすることができる。例えば、８００℃の耐熱シルバー塗装を施すことによって、高温下での使用に耐えうる収納容器８を構成することができる。また、木材等の模様を塗装することによって、室内で使用する椅子等にカムフラージュした収納容器８を構成することができる。
【００２６】
以上のように構成された収納容器８によれば、立てた状態で使用すれば、所謂、椅子のような形態となるので、椅子の使用形態で用いることにより、内部に現金等の貴重品を収納してカムフラージュした椅子型金庫として使用することができる。
【００２７】
また、上部の蓋部材１４を取外し可能な状態で水密するように中空部材１と接合すれば、その状態で、一定の年月が経過するまで地中に埋めておいても内部の被収納物を汚損することなく長期間保存することができるタイムカプセルとして使用することができる。
【００２８】
そして、このように貴重品や書類等の被収納物を収納した収納容器８に外部から第３者が危害を加えた場合、その外面の中空部材１が傷付けられ、その傷口から内部の非硬化性流体である塗料１５が噴出するので、その塗料１５が第３者に付着して、犯人逮捕の手掛かりとすることができる。
【００２９】
図３は本願発明の第２実施形態に係る収納容器を示す縦断面図であり、図４は図３に示すＩＶ−ＩＶ矢視図、図５は蓋部材の斜視図である。この第２実施形態では、第１実施形態における蓋部材１４に鍵装置を設けている。なお、上述した第１実施形態と同一の構成には同一符号を付して、その詳細な説明は省略する。
【００３０】
図示するように、この第２実施形態の蓋部材１６には、上面の縁部に鍵装置１７が設けられている。この鍵装置１７は、蓋部材１６に設けられた鍵本体１８と、中空部材１のコンクリート１０部分に設けられた係止部２２とによって構成されている。鍵本体１８には、外側に開放した鍵穴１９と、この鍵穴１９に挿入する鍵２０と、この鍵２０を回動させることにより内側で回転する係止部材２１とが設けられている。係止部２２は、中空部材１と中空パイプ３との間に設けられたコンクリート１０の一部に形成されている。この係止部２２は、鍵本体１８の鍵２０と共に回動する係止部材２１が係合するような溝部で形成されている。
【００３１】
なお、この第２実施形態でも、円筒形の中空部材１と角筒形の中空パイプ３とで形成された２重の容器の中央部に形成された角形中空部４に、角形の被収納物容器２３が２個収納されている。この例では上部に指を挿入する孔２４のある容器２３が縦向きに設けられている。
【００３２】
以上のように構成された収納容器２５によれば、鍵２０によって施錠することにより、蓋部材１６を中空部材１から分離できないように固定することができるので、室内等に設置して使用する場合でも蓋部材１６を自由に開放できないようにできる。
【００３３】
また、この収納容器２５の場合も、中空部材１と中空パイプ３との間に設けられたコンクリート１０と塗料１５（非硬化性流体）とによって収納容器２５の重量を比較的大きくできるので、人手で容易に運ぶことが困難なようにできる。
【００３４】
さらに、この実施形態の収納容器２５の場合も、貴重品や書類等の被収納物を収納した収納容器２５として使用している時に、第３者が危害を加えたとしても、その外面の中空部材１が傷付けられると、その傷口から内部の非硬化性流体である塗料１５が噴出するので、その塗料１５が第３者に付着して、犯人逮捕の手掛かりとすることができる。
【００３５】
図６は本願発明の第３実施形態に係る収納容器を示す縦断面図である。なお、上述した第２実施形態と同一の構成には同一符号を付して、その詳細な説明は省略する。
【００３６】
この第３実施形態では、第２実施形態における蓋部材１４と中空部材１との間にネジ部２６を設けている。このネジ部２６は、蓋部材１４の中空部材上部を所定長さまで覆う下向きの部分の内面と、この蓋部材１４の内面と接する中空部材１の外面との間に設けられている。ネジ部２６としては、蓋部材１６を２〜３回転させる程度で蓋部材１６がコンクリート１０の上面に設けられた防水材１２と接し、鍵本体１８と係止部２２とが対向した位置で中空パイプ３と外部との間がシールされるように構成されている。ネジ部２６を回転させる数としては、この実施形態のように、蓋部材１６を２〜３回転させる程度が、作業性とシール性を共に満足するので好ましい。
【００３７】
また、この実施形態では、中空パイプ３の空間４そのものが容器として使用されている。上記したように蓋部材１６で中空パイプ３と外部との間がシールされているので、空間４に被収納物２７を直接入れている。このような構成の場合、ネジ部２６を締付けることによって確実なシール性を長期間維持することができるので、被収納物２７を長期間埋蔵するタイムカプセルのような使用形態に好ましい。他の作用等は上述した第２実施形態と同一であるため、詳細な説明は省略する。
【００３８】
なお、上述した実施形態では、いずれも円柱形の収納容器８，２５を例に説明したが、収納容器８，２５（中空部材１）の形態は円柱形に限定されるものではなく、中空パイプ３や被収納物容器５，２３も角形に限定されるものではなく、これらは他の形態であってもよい。これら収納容器８，２５、中空パイプ３、被収納物容器５，２３の形態は、使用目的等に応じて適宜決定すればよい。
【００３９】
また、上述した実施形態における構成を組合わせることや、他の構成を付加して新たな収納容器を構成することも容易に可能であり、本願発明は上述した実施形態に限定されるものではない。
【００４０】
さらに、上述した実施形態は一実施形態であり、本願発明の要旨を損なわない範囲での種々の変更は可能であり、本願発明は上述した実施形態に限定されるものではない。
【００４１】
【発明の効果】
本願発明は、以上説明したような形態で実施され、以下に記載するような効果を奏する。
【００４２】
錆に強く盗難等の被害から被収納物を守る収納容器を容易に構成することが可能となる。
【図面の簡単な説明】
【図１】本願発明の第１実施形態に係る収納容器を示す縦断面図である。
【図２】図１に示すＩＩ−ＩＩ矢視図である。
【図３】本願発明の第２実施形態に係る収納容器を示す縦断面図である。
【図４】図３に示すＩＶ−ＩＶ矢視図である。
【図５】図５は蓋部材の斜視図である。
【図６】本願発明の第３実施形態に係る収納容器を示す縦断面図である。
【符号の説明】
１…中空部材
２…中空部
３…中空パイプ
４…空間
５…容器
６…把手
７…開閉扉
８…収納容器
９…空間
１０…コンクリート
１１…蓋部材
１２…防水材
１３…防水材
１４…蓋部材
１５…塗料（非硬化性流体）
１６…蓋部材
１７…鍵装置
２０…鍵
２１…係止部材
２２…係止部
２３…被収納物容器
２４…孔
２５…収納容器
２６…ネジ部
２７…被収納物
【図１】
2004036265.tif 000003
【図２】
2004036265.tif 000004
【図３】
2004036265.tif 000005
【図４】
2004036265.tif 000006
【図５】
2004036265.tif 000007
【図６】
2004036265.tif 000008